(57)【特許請求の範囲】
【請求項１】
建築物の布基礎の室内側に当該布基礎と接触させて蓄熱体を設ける一方、前記布基礎の室外側に少なくとも前記布基礎と一部が接触する受熱部となる犬走りコンクリートを設けるとともに、この受熱部となる犬走りコンクリートの接触部以外の前記布基礎の室外側表面に断熱材を設けたことを特徴とする建築物の蓄熱基礎構造。
【請求項２】
前記蓄熱体を土間コンクリートと兼用させたことを特徴とする請求項１記載の建築物の蓄熱基礎構造。
【請求項３】
前記蓄熱体の下側と、前記受熱部の下側と、前記布基礎の前記蓄熱体の接触部以外の室内側表面とのうち少なくともいずれかに断熱材を設けたことを特徴とする請求項１または２記載の建築物の蓄熱基礎構造。
【発明の詳細な説明】
【０００１】
【発明の属する技術分野】
この発明は、建築物の蓄熱基礎構造に関し、ダイレクトゲイン方式のソーラ住宅の床面内装仕上げの制限をなくすようにしたものである。
【０００２】
【従来の技術】
石油危機以来、石油やガスに代わる自然エネルギを有効利用しようとする機運の高まりや最近の地球環境への関心の高まりにより、建築の分野でも地球温暖化の原因となる石油やガスをエネルギ源とする建築物の暖房や冷房に代えて太陽からの照射エネルギを利用することが考えられ、ソーラ住宅として実用化されつつある。
【０００３】
従来のソーラ住宅の構造は、例えば図６−１〜５に（財）省エネルギ機構（ＩＢＥＣ）認定のものを示すように、大きく次の５つの方式に分類することができる。
【０００４】
−１：ダイレクトゲイン方式
−２：空気集熱と蓄熱併用方式
−３：空気集熱と温室と蓄熱併用方式
−４：壁集熱と空気循環併用方式
−５：太陽光発電方式
これらのソーラ住宅の方式のうち、比較的構造が簡単で安価に施工できることから一般に普及している方式が、図６−１のダイレクトゲイン方式である。
【０００５】
このダイレクトゲイン方式では、冬期に太陽光の熱を建物の開口部である窓などから室内に取入れ、床の蓄熱体に集めて暖房用の熱源として利用する一方、夏期の場合には建物の開口部である窓などをあけて夜間の冷気を室内に取込み、この冷気を床の蓄熱体に集めて昼間に放出させて建物内を冷却させようとするもので、暖房と冷房の両方に太陽光等の自然のエネルギを利用できるメリットがある。
【０００６】
このダイレクトゲイン方式の住宅では、図７に概略構造を示すように、割り栗石１上の捨てコンクリート２を介して布基礎コンクリート３が立設され、その室外側Ａの表面が基礎断熱材４で覆われている。
【０００７】
そして、ダイレクトゲイン方式の蓄熱を行うため、布基礎コンクリート３の室内側Ｂには、割り栗石１を介して土間コンクリート５が布基礎コンクリート３の上端に一体に接続されて設けられており、この土間コンクリート５が床下の蓄熱体の機能をなすようにしてある。
【０００８】
また、この布基礎コンクリート３上には、土台６を介して軸組７が取付けられており、窓部分８を除く軸組７の室外側Ａに外壁断熱材９が配置されて通気胴縁１０を介して固定され、この通気胴縁１０の外側に外壁材１１が取付けられ、外壁材１１の下端面と通気胴縁１０との間に水切り１２が設けられる一方、軸組７の室内側Ｂには、内装下地材１３を介して内装仕上げ材１４が取付けられ、下端隅部に幅木１５が取付けてある。
【０００９】
さらに、蓄熱体を兼ねる土間コンクリート５の室内側Ｂの上面に床面内装材１６が取付けられる。
【００１０】
また、布基礎コンクリート３の基礎断熱材４の室外側Ａの地盤面Ｃ上には、割り栗石１を介して犬走りコンクリート１７が打設してある。
【００１１】
このようなダイレクトゲイン方式の場合、土間コンクリート５で構成される蓄熱体が窓８からの太陽の熱エネエルギを吸収し易くするためには、蓄熱体である土間コンクリート５を室内に露出させるか、土間コンクリート５の室内面を覆う床面内装材１６を薄く、熱伝導率の大きな材料にする必要がある。
【００１２】
【発明が解決しようとする課題】
ところが、蓄熱体が建築物の床面にあり、材質としてコンクリートや石が使われるため、居住者にとっては床面の内装材や仕上げが極端に制限されてしまい、例えば和室の畳敷きや洋室のフローリングやカーペットのような通常の床面内装材を使用すると熱伝導率が比較的小さいために蓄熱体への蓄熱効率が低下してダイレクトゲイン方式として使用することが出来ず、ダイレクトゲイン方式の床面内装材として使用できるのはリノリウムなどの床シート材などに限られるとともに、床面仕上げとしてコンクリートペイント仕上げや石磨き仕上げを施工できるに過ぎず、居住者に床面が冷たく硬いという印象を与えるという問題がある。
【００１３】
また、夏期において冷気を蓄熱しようとする場合には、夜間に窓を開放して直接外気を室内に取り入れる必要があるため、防犯上の問題が生じる。
【００１４】
この発明は、かかる従来技術の問題点に鑑みてなされたもので、建築物内に蓄熱体を設けるダイレクトゲイン方式の場合でも床面内装材や床面仕上げを自由に選択することができ、防犯上の問題もない建築物の蓄熱基礎構造を提供しようとするものである。
【００１５】
【課題を解決するための手段】
上記従来技術が有する課題を解決するこの発明の請求項１記載の建築物の蓄熱基礎構造は、建築物の布基礎の室内側に当該布基礎と接触させて蓄熱体を設ける一方、前記布基礎の室外側に少なくとも前記布基礎と一部が接触する受熱部となる犬走りコンクリートを設けるとともに、この受熱部となる犬走りコンクリートの接触部以外の前記布基礎の室外側表面に断熱材を設けたことを特徴とするものである。
【００１６】
この建築物の蓄熱基礎構造によれば、布基礎の室内側に接触させて蓄熱体を設け、布基礎の室外側に少なくとも一部が接触する受熱部となる犬走りコンクリートを設けて他の室外側表面を断熱材で覆うようにしており、受熱部となる犬走りコンクリートの一部を直接布基礎に接触するように断熱材を取り除いた状態にするだけで、蓄熱体への熱（熱および冷熱）を布基礎の室外側の受熱部となる犬走りコンクリートから行うことができ、床面の蓄熱体の表面から蓄熱する必要がなく、床面内装材などの選択が自由になるとともに、防犯上の問題もなくなる。
【００１７】
また、この発明の請求項２記載の建築物の蓄熱基礎構造は、請求項１記載の構成に加え、前記蓄熱体を土間コンクリートと兼用させたことを特徴とするものである。
【００１８】
この建築物の蓄熱基礎構造によれば、蓄熱体を土間コンクリートと兼用するようにしており、土間コンクリートを蓄熱体とすることで、一層簡単な構造で床面内装材などの選択に制限を加えることなくダイレクトゲイン方式の蓄熱を実現することができるようになる。
【００１９】
さらに、この発明の請求項３記載の建築物の蓄熱基礎構造は、請求項１または２記載の構成に加え、前記蓄熱体の下側と、前記受熱部の下側と、前記布基礎の前記蓄熱体の接触部以外の室内側表面とのうち少なくともいずれかに断熱材を設けたことを特徴とするものである。
【００２０】
この建築物の蓄熱基礎構造によれば、蓄熱体の下側、受熱部の下側、布基礎の蓄熱体の接触部以外の室内側表面に断熱材を設けるようにしており、一層断熱性能を高めて効率的にダイレクトゲイン方式の蓄熱ができるようになる。
【００２１】
【発明の実施の形態】
以下、この発明の実施の形態を図面を参照しながら詳細に説明する。
図１（ａ），（ｂ）はこの発明の建築物の蓄熱基礎構造の一実施の形態にかかる部分斜視図および部分断面図であり、既に説明した図７と同一部分には同一番号を記し、説明は省略する。
【００２２】
この建築物の蓄熱基礎構造２０では、割り栗石１上の捨てコンクリート２を介して立設された布基礎コンクリート３の室内側Ｂに、割り栗石１を介して土間コンクリート５が布基礎コンクリート３の上端に一体に接続されて設けられており、この床下の土間コンクリート５が布基礎コンクリート３と接触する蓄熱体２１の機能をなすようにしてある。
【００２３】
この蓄熱体２１の機能をなす土間コンクリート５への蓄熱を行うため、布基礎コンクリート３の室外側Ａにこの布基礎コンクリート３と一部が接触する熱（熱および冷熱、以下、単に熱とする。）の受熱部２２が犬走りコンクリート１７と兼用して、割り栗石１上にコンクリートを打設して形成してある。
【００２４】
この受熱部２２の機能をなす犬走りコンクリート１７は、例えば図１（ａ）に示すように、布基礎コンクリート３の室外側Ａの表面に取付けられる基礎断熱材４を部分的に取り除くことで犬走りコンクリート１７を布基礎コンクリート３に部分的に接触させるようにして設けられ、犬走りコンクリート１７と接触する部分以外の室外側の表面は基礎断熱材４で覆われている。
【００２５】
この基礎断熱材４は、基礎構築に際して型枠板として機能する断熱ボードであっても良く、この場合には施工が容易となる。
【００２６】
このような布基礎コンクリート３の室内側Ｂに接触させて蓄熱体２１となる土間コンクリート５を設けるとともに、布基礎コンクリート３の室外側Ａに一部が接触する受熱部２２となる犬走りコンクリート１７を設けたので、受熱部２２の熱が布基礎コンクリート３を介して土間コンクリート５に伝達され、冬期の昼間の太陽熱エネルギや夏期の夜間の外気の冷熱を蓄熱体２１に蓄熱することができ、室内側Ｂの床面側から蓄熱する必要がない。
【００２７】
そして、蓄熱体２１である土間コンクリート５に蓄熱された熱は、土間コンクリート５の表面等を介してこれまでのダイレクトゲイン方式の場合と同様にして放熱が行われ、暖房や冷房に利用される。
【００２８】
このような蓄熱体２１への熱の蓄熱は、受熱部２２から布基礎コンクリート３を介して行われることから、受熱部２２の熱容量や蓄熱体２１の熱容量のほか、受熱部２２と布基礎コンクリート３との接触部の面積によって異なるため、外気温度や日射量の日変化や年変化によって熱の授受が起こることを考慮し、冬期には昼間の太陽熱が蓄積され、夏期には夜間の外気の冷熱が蓄熱されるように各部の寸法や接触面積などを定めるようにする。この場合、例えばコンクリートの熱伝導率を１．４kcal／mh℃、空気の熱伝達率を密閉静止状態で０．０２kcal／m2h ℃，対流や輻射、熱伝導を考慮した状態で０．０４〜０．０６kcal／m2h ℃を用い、蓄熱体の熱容量を受熱体の熱容量より大きくなるように定める。
【００２９】
以上のように、この建築物の蓄熱基礎構造２０によれば、従来のダイレクトゲイン方式のように床面内装材を介して床下の蓄熱材に太陽熱や外気の冷熱を蓄熱する必要がなく、床面内装材や床仕上げを自由に選択することが可能となる。
【００３０】
そこで、この実施の形態では、床面仕上げとして土間コンクリート５上に転ばし根太２３が配置されて押えモルタル２４で固定され、これら転ばし根太２３上に合板２５を下地材としてフローリング２６が敷設してある。
【００３１】
なお、布基礎コンクリート３上に土台６を介して取付けられる軸組や外装材および内装材の取付構造および断熱工法は既に説明した構造と同一である。
【００３２】
このような床面仕上げとしてフローリング２６を施工した場合でも、蓄熱体２１である土間コンクリート５への蓄熱が受熱部２２である犬走りコンクリート１７を介して行われて何等問題がなく、蓄熱された熱の放熱もこれまでと同様にフローリング２６側になされ、暖房や冷房に利用されることになる。
【００３３】
また、室内側Ｂから蓄熱する必要がなく、外気の冷熱を蓄熱するため夜間に窓を開放する必要がないので、防犯上の問題がなく安全である。
【００３４】
次に、この発明の建築物の基礎蓄熱構造の他の一実施の形態について図２により説明する。
【００３５】
この建築物の蓄熱基礎構造３０では、蓄熱体２１となる土間コンクリート５および受熱部２２となる犬走りコンクリート１７の構造は既に説明した上記実施の形態と同一であるが、さらに、布基礎コンクリート３に接触させて室内側Ｂに設けられる土間コンクリート５の下側の割り栗石１との間に断熱材として土間断熱ボード３１が取付けられるとともに、布基礎コンクリート３の室内側の表面にも基礎断熱材３２が取付けられて土間コンクリート５の下側の割り栗石１と布基礎コンクリート３とが非接触状態とされ、また、布基礎コンクリート３に一部を接触させて室外側Ａに設けられる犬走りコンクリート１７の下側の割り栗石１との間にも断熱材として基礎断熱材３３が取付けてある。
【００３６】
布基礎コンクリート３の室内側の基礎断熱材３２は、上記基礎断熱材４と同様、基礎構築に際して型枠板として機能する型枠兼用断熱ボードとすることができ、これにより、コンクリートの硬化に伴って断熱ボードが接着されるので、施工性が向上する。
【００３７】
また、土間コンクリート５の下側の断熱材、犬走りコンクリート１７の下側の断熱材は、板状の断熱材に限らず、現場施工による断熱材であっても良く、中でも現場吹付施工により断熱層を形成する硬質ポリウレタンフォームが好ましい。
【００３８】
このように蓄熱体２１の下側および受熱体２２の下側と布基礎コンクリート３の室内側Ｂの表面にそれぞれ断熱材３１〜３３を取付けたので、受熱部２２を介して吸収される熱が外部に放熱されること無く布基礎コンクリート３を介して蓄熱体２１に伝達され、不要な放熱を防止して蓄熱効率を向上することができるとともに、蓄熱された熱の利用効率が増大する。
【００３９】
また、この実施の形態では、和室が構成されて床面内装材として畳を用いた畳仕上げとされ、土間コンクリート５上に転ばし根太２３が配置されて押えモルタル２４で固定され、転ばし根太２３上に荒板３４が敷設されて周囲に畳寄せ３５が取付けられ、その内側に畳３６が敷設されている。
【００４０】
さらに、和室とするため、軸組７の室内側Ｂには、下地材としてラスボード３７が取付けられ、その上に聚楽塗り仕上げ３８が施してある。
【００４１】
なお、布基礎コンクリート３上に土台６を介して取付けられる軸組７の外側の外装材などの取付構造および断熱工法は既に説明した構造と同一である。
【００４２】
このような和室として畳仕上げとした場合でも、室内側の床面仕上げに関係なくダイレクトゲイン方式の蓄熱ができ、蓄熱体２１である土間コンクリート５への蓄熱が受熱部２２である犬走りコンクリート１７を介して一層効率良く行われるとともに、蓄熱された熱の放熱も一層効率的に畳３６側になされ、暖房や冷房に一層寄与することになる。
【００４３】
さらに、この建築物の蓄熱基礎構造３０では、土間コンクリート５と割り栗石１との間に土間断熱ボード３１が設けられるとともに、布基礎コンクリート３の室内側Ｂの表面に基礎断熱材３２が設けてあるので、土間コンクリート５の下側の割り栗石１に放熱されずに割り栗石１が支持体として機能する一方、犬走りコンクリート１７の下側の割り栗石１との間にも基礎断熱材３３が設けてあるので、この割り栗石１にも放熱されずに割り栗石１が支持体として機能するようになっている。
【００４４】
次に、この発明の建築物の蓄熱基礎構造のさらに他の一実施の形態について、図３により説明するが、既に説明した構成と同一部分には同一番号を記し、説明は省略する。
【００４５】
この建築物の蓄熱基礎構造４０では、割り栗石１上の捨てコンクリート２を介して立設された布基礎コンクリート３の室内側Ｂに、割り栗石１を介して土間コンクリート５が布基礎コンクリート３の中間部に一体に接続されて設けられ、布基礎コンクリート５の上端との間に床下空間４１が形成されるとともに、この床下空間４１の下方の土間コンクリート５が布基礎コンクリート３と接触する蓄熱体２１の機能をなすようにしてある。
【００４６】
この蓄熱体２１の機能をなす布基礎コンクリート３の中間部に接触する土間コンクリート５への蓄熱を行うための受熱部２２の構成は、既に説明した図１の場合と同様である。
【００４７】
このような蓄熱体２１の機能をなす土間コンクリート５の上方に床下空間４１を形成した場合でも、布基礎コンクリート３の室外側Ａに一部が接触する受熱部２２である犬走りコンクリート１７で受けた熱（熱および冷熱）が布基礎コンクリート３を介して土間コンクリート５に伝達され、冬期の昼間の太陽熱エネルギや夏期の夜間の外気の冷熱を蓄熱体２１に蓄熱することができ、室内側Ｂの床面側から蓄熱する必要がない。
【００４８】
そして、蓄熱体２１である土間コンクリート５に蓄熱された熱は、土間コンクリート５の上方の床下空間４１を介してこれまでのダイレクトゲイン方式の場合と同様にして放熱が行われ、暖房や冷房に利用される。
【００４９】
このような建築物の蓄熱基礎構造４０によれば、従来のダイレクトゲイン方式のように床面内装材を介して床下の蓄熱材に太陽熱や外気の冷熱を蓄熱する必要がなく、床面内装材や床仕上げを自由に選択することが可能となることから、この実施の形態では、床面仕上げとして土間コンクリート５上の床下空間４１にくつ石４２を介して束４３が設けられて大引き４４が支持され、この大引き４４上に根太４５が設けられて合板２５を下地材としてフローリング２６が敷設してある。
【００５０】
なお、布基礎コンクリート３上に土台６を介して取付けられる軸組や外装材および内装材の取付構造および断熱工法は既に説明した図１の場合の構造と同一である。
【００５１】
このような床面仕上げとして床下空間４１を介してフローリング２６を施工した場合でも、蓄熱体２１である土間コンクリート５への蓄熱が受熱部２２である犬走りコンクリート１７を介して行われて何等問題がなく、蓄熱された熱の放熱もこれまでと同様に床下空間４１を介してフローリング２６側になされ、暖房や冷房に利用されることになる。
【００５２】
また、室内側Ｂから蓄熱する必要がなく、外気の冷熱を蓄熱するため夜間に窓を開放する必要がないので、防犯上の問題がなく安全である。
【００５３】
次に、この発明の建築物の基礎蓄熱構造の他の一実施の形態について図４により説明するが、既に説明した構成と同一部分には同一番号を記し、説明は省略する。
【００５４】
この建築物の蓄熱基礎構造５０では、割り栗石１上の捨てコンクリート２を介して立設された布基礎コンクリート３の室内側Ｂに、この布基礎コンクリート３に接触させて割り栗石５１が敷き詰められ、この割り栗石５１がこれまでに説明した土間コンクリート５に代わり布基礎コンクリート３と接触する蓄熱体２１の機能をなすようにしてあり、この割り栗石５１上に床下空間４１が形成されるようになっている。
【００５５】
この蓄熱体２１の機能をなす布基礎コンクリート３に接触する割り栗石５１への蓄熱を行うための受熱部２２の構成は、既に説明した図１の場合と同様である。
【００５６】
このように蓄熱体２１として割り栗石５１を敷設するとともに、この割り栗石５１の上方に床下空間４１を形成した場合でも、布基礎コンクリート３の室外側Ａに一部が接触する受熱部２２である犬走りコンクリート１７で受けた熱（熱および冷熱）が布基礎コンクリート３を介して割り栗石５１に伝達され、冬期の昼間の太陽熱エネルギや夏期の夜間の外気の冷熱を蓄熱体２１である割り栗石５１に蓄熱することができ、室内側Ｂの床面側から蓄熱する必要がない。
【００５７】
そして、蓄熱体２１である割り栗石５１に蓄熱された熱は、割り栗石５１の上方の床下空間４１を介してこれまでのダイレクトゲイン方式の場合と同様にして放熱が行われ、暖房や冷房に利用される。
【００５８】
このような建築物の蓄熱基礎構造５０によれば、従来のダイレクトゲイン方式のように床面内装材を介して床下の蓄熱材に太陽熱や外気の冷熱を蓄熱する必要がなく、床面内装材や床仕上げを自由に選択することが可能となることから、この実施の形態では、図３で説明した構成と同一のフローリング仕上げとされ、割り栗石５１上の床下空間４１内にくつ石４２を介して束４３が設けられて大引き４４が支持され、この大引き４４上に根太４５が設けられて合板２５を下地材としてフローリング２６が敷設してある。
【００５９】
なお、布基礎コンクリート３上に土台６を介して取付けられる軸組や外装材および内装材の取付構造および断熱工法は既に説明した図１の場合の構造と同一である。
【００６０】
このような床面仕上げとして割り栗石５１の上方の床下空間４１内にフローリング２６を施工した場合でも、蓄熱体２１である割り栗石５１への蓄熱が受熱部２２である犬走りコンクリート１７を介して行われて床面上方の室内側Ｂから行う必要がなく、割り栗石５１に蓄熱された熱の放熱もこれまでと同様に床下空間４１を介してフローリング２６側になされ、暖房や冷房に利用できる。
【００６１】
また、室内側Ｂから蓄熱する必要がなく、外気の冷熱を蓄熱するため夜間に窓を開放する必要がないので、防犯上の問題がなく安全である。
【００６２】
次に、この発明の建築物の基礎蓄熱構造のさらに他の一実施の形態について図５により説明するが、既に説明した構成と同一部分には同一番号を記し、説明は省略する。
【００６３】
この建築物の蓄熱基礎構造６０では、割り栗石１上の捨てコンクリート２を介して立設された布基礎コンクリート３の室内側Ｂに、割り栗石１を介して土間コンクリート５が布基礎コンクリート３の中間部に一体に接続されて設けられ、布基礎コンクリート５の上方に床下空間４１が形成され、この床下空間４１内に布基礎コンクリート３と接触するとともに、土間コンクリート５と接触させて石６１が敷き詰めてあり、土間コンクリート５および石６１が布基礎コンクリート３と接触する蓄熱体２１の機能をなすようにしてある。
【００６４】
この蓄熱体２１の機能をなす布基礎コンクリート３の中間部に接触する土間コンクリート５および石６１への蓄熱を行うための受熱部２２の構成は、既に説明した図１の場合と同様である。
【００６５】
このような蓄熱体２１の機能をなす土間コンクリート５および土間コンクリート５の上方の床下空間４１の石６１を用いる場合でも、布基礎コンクリート３の室外側Ａに一部が接触する受熱部２２である犬走りコンクリート１７で受けた熱（熱および冷熱）が布基礎コンクリート３を介して土間コンクリート５および石６１に伝達され、冬期の昼間の太陽熱エネルギや夏期の夜間の外気の冷熱を蓄熱体２１に蓄熱することができ、室内側Ｂの床面側から蓄熱する必要がない。
【００６６】
そして、蓄熱体２１である土間コンクリート５および石６１に蓄熱された熱は、土間コンクリート５の上方の床下空間４１を介してこれまでのダイレクトゲイン方式の場合と同様にして放熱が行われ、暖房や冷房に利用される。
【００６７】
このような建築物の蓄熱基礎構造６０によれば、従来のダイレクトゲイン方式のように床面内装材を介して床下の蓄熱材に太陽熱や外気の冷熱を蓄熱する必要がなく、床面内装材や床仕上げを自由に選択することが可能となることから、この実施の形態では、既に図３および図４のフローリングによる床面仕上げと同様にして土間コンクリート５上の床下空間４１にくつ石４２を介して束４３が設けられて大引き４４が支持され、この大引き４４上に根太４５が設けられて合板２５を下地材としてフローリング２６が敷設してある。
【００６８】
なお、布基礎コンクリート３上に土台６を介して取付けられる軸組や外装材および内装材の取付構造および断熱工法は既に説明した図１の場合の構造と同一である。
【００６９】
このような床面仕上げとして床下空間４１を介してフローリング２６を施工した場合でも、蓄熱体２１である土間コンクリート５および石６１への蓄熱が受熱部２２である犬走りコンクリート１７を介して行われて何等問題がなく、蓄熱された熱の放熱もこれまでと同様に床下空間４１を介してフローリング２６側になされ、暖房や冷房に利用される。
【００７０】
また、室内側Ｂから蓄熱する必要がなく、外気の冷熱を蓄熱するため夜間に窓を開放する必要がないので、防犯上の問題がなく安全である。
【００７１】
以上のように、５つの実施の形態をあげて具体的に説明したように、この発明の建築物の蓄熱基礎構造２０，３０，４０，５０，６０によれば、蓄熱体２１および受熱体２２によって窓などから取り入れた太陽熱エネルギを室内側Ｂから蓄熱する必要がないので、床面内装材や床面仕上げを自由に選択することができ、あらゆる床構造と床仕上げの組合わせが可能となる。
【００７２】
また、第２の実施の形態の建築物の蓄熱基礎構造３０の蓄熱体２１や受熱部２２、布基礎コンクリート３部分に設けた断熱材３１〜３３を他の実施の形態の場合に設けるようにしても良く、これら３つの断熱材３１〜３３の全てでなく、１〜２のいずれの組み合わせでも良い。
【００７３】
なお、上記各実施の形態では、蓄熱体としてコンクリートや割り栗石、あるいは石を用いる場合で説明したが、これらに限らず熱容量の大きいものであれば良く、例えば、土、砂、砂利、岩、レンガ、ＡＬＣ、石綿セメント板、セラミックなどの無機材、鉄、ステンレス、銅、アルミニウムなどの金属などをあげることができる。
【００７４】
また、蓄熱体に少なくとも一部を接触させて設ける受熱部は、上記各実施の形態では、布基礎には不連続に一部を接触させ、受熱部自体は連続するように設けたが、これに限らず、布基礎に連続的に接触するように設けたり、断続した受熱部として布基礎に不連続に接触させるようにしても良く、建築物の外周の一部だけや連続して設けても良い。
【００７５】
さらに、布基礎や蓄熱体、あるいは受熱部等を断熱する断熱材としては、熱伝導率が０．５kcal／mh℃以下、より好ましくは０．２kcal／mh℃以下の断熱性があるものが好ましく、例えばポリウレタンフォーム、ポリスチレンフォーム、ポリエチレンフォーム、フェノールフォーム、発泡ゴム、グラスウール、ロックウール、セルローズファイバー、羊毛、コルクなどをあげることができ、天然、合成、有機、無機は問わず、種々のものが使用できる。
【００７６】
また、この建築物の蓄熱基礎構造が適用される軸組としては、建築物に採用されている軸組が対象となり、例えば在来工法、２×４工法、パネル工法などをあげることができ、木造に限らず鉄骨造であっても良い。
【００７７】
さらに、この建築物の蓄熱基礎構造が適用される断熱工法としては、上記各実施の形態で説明した軸組の室外側のみに断熱材を取付ける外断熱工法に限らず、軸組の外側および軸組の間または軸組の内側に断熱材を取付ける内外併用外断熱工法や軸組の間に断熱材を取付ける内断熱工法等にも適用することができる。
【００７８】
【発明の効果】
以上、実施の形態とともに具体的に説明したようにこの発明の請求項１記載の建築物の蓄熱基礎構造によれば、布基礎の室内側に接触させて蓄熱体を設け、布基礎の室外側に少なくとも一部が接触する受熱部となる犬走りコンクリートを設けて他の室外側表面を断熱材で覆うようにしたので、受熱部となる犬走りコンクリートの一部を直接布基礎に接触するように断熱材を取り除いた状態にするだけで、蓄熱体への熱（熱および冷熱）を布基礎の室外側の受熱部となる犬走りコンクリートから行うことができ、床面の蓄熱体の表面から蓄熱する必要がなく、床面内装材などの選択が自由になるとともに、防犯上の問題もなくなる。
【００７９】
さらに、この発明の請求項２記載の建築物の蓄熱基礎構造によれば、蓄熱部を土間コンクリートと兼用するようにしたので、土間コンクリートを蓄熱体とすることで、一層簡単な構造で床面内装材などの選択に制限を加えることなくダイレクトゲイン方式の蓄熱を実現することができるとともに、防犯上の問題もなくなる。
【００８０】
さらに、この発明の請求項３記載の建築物の蓄熱基礎構造によれば、蓄熱体の下側、受熱部の下側、布基礎の蓄熱体の接触部以外の室内側表面に断熱材を設けたので、一層断熱性能を高めて効率的にダイレクトゲイン方式の蓄熱ができるとともに、防犯上の問題もなくなる。
【図面の簡単な説明】
【図１】この発明の建築物の蓄熱基礎構造の一実施の形態にかかる部分斜視図および部分断面図である。
【図２】この発明の建築物の蓄熱基礎構造の他の一実施の形態にかかる部分断面図である。
【図３】この発明の建築物の蓄熱基礎構造のさらに他の一実施の形態にかかる部分断面図である。
【図４】この発明の建築物の蓄熱基礎構造の他の一実施の形態にかかる部分断面図である。
【図５】この発明の建築物の蓄熱基礎構造のさらに他の一実施の形態にかかる部分断面図である。
【図６】（財）省エネルギ機構（ＩＢＥＣ）認定のソーラ住宅の構造例にかかる説明図である。
【図７】従来のダイレンクトゲイン方式のソーラ住宅の部分断面図である。
【符号の説明】
３  布基礎コンクリート（布基礎）
５  土間コンクリート（蓄熱体）
１６  床面内装材
１７  犬走りコンクリート（受熱部）
２０  建築物の蓄熱基礎構造
２１  蓄熱体
２２  受熱部
２６  フローリング
３０  建築物の蓄熱基礎構造
３１  土間断熱ボード（断熱材）
３２  基礎断熱材（断熱材）
３３  基礎断熱材（断熱材）
３６  畳
４０  建築物の蓄熱基礎構造
４１  床下空間
５０  建築物の蓄熱基礎構造
５１  割り栗石（蓄熱体）
６０  建築物の蓄熱基礎構造
６１  石（蓄熱体）
Ａ  室外側
Ｂ  室内側
【図１】
0003790008.tif 000002
【図２】
0003790008.tif 000003
【図３】
0003790008.tif 000004
【図４】
0003790008.tif 000005
【図５】
0003790008.tif 000006
【図６】
0003790008.tif 000007
【図７】
0003790008.tif 000008